(57)【要約】【課題】  所望の被写体像の抽出の迅速化を実現する撮影システムを提供する。【解決手段】  被写体の近傍に配備され、該被写体に関する被写体情報を発信する発信装置と、該発信装置から発信された前記被写体情報の受信が可能な受信部を有し、撮影レンズを通して被写体を撮影することにより得られた被写体像を表す画像データに該受信部で受信した前記被写体情報を関連づけてメモリに記憶する撮影装置とを備えた撮影システムにおいて、発信装置が、被写体情報を所定の方向に向けて発信するものであり、撮影装置は、撮影レンズの光軸を中心とする所定の範囲で発信装置からの被写体情報の受信が可能な受信部を有するものであって、受信部で受信した被写体情報を画像データに関連づけて記憶する。【選択図】        図１
2007027989.tif 000002
【特許請求の範囲】
【請求項１】
被写体の近傍に配備され、該被写体に関する被写体情報を発信する発信装置と、該発信装置から発信された前記被写体情報の受信が可能な受信部を有し撮影レンズを通して被写体を撮影することにより得られた被写体像を表す画像データに該受信部で受信した前記被写体情報を関連づけてメモリに記憶する撮影装置とを備えた撮影システムにおいて、
前記発信装置が、前記被写体情報を所定の方向に向けて発信するものであり、
前記撮影装置は、前記撮影レンズの光軸を中心とする所定の範囲で前記発信装置からの前記被写体情報の受信が可能な受信部を有するものであって、該受信部で受信した該被写体情報を前記画像データに関連づけて記憶するものであることを特徴とする撮影システム。
【請求項２】
被写体近傍に配備され、被写体に関する被写体情報を発信する発信装置と、該発信装置から発信された前記被写体情報の受信が可能な受信部を有し撮影レンズを通して被写体を撮影することにより得られた被写体像を表す画像データに該受信部で受信した該被写体情報を関連づけてメモリに記憶する撮影装置とを備えた撮影システムにおいて、
前記撮影装置が、
前記受信部で受信した前記被写体情報を表示する表示部と、
前記表示部に表示された該被写体情報の中から記憶しておくべき被写体情報を操作に応じて選択する記憶情報選択部とを備え、
前記撮影装置は、前記画像データに、前記記憶情報選択部で選択した被写体情報を関連づけて記憶するものであることを特徴とする撮影システム。
【請求項３】
前記発信装置が、光源を有し、被写体情報に応じて該光源を変調駆動することにより該光源からの発光光に被写体情報発信を担わせるものであり、
前記受信部が、前記発光光を受光する受光素子を有するものであって、
前記撮影装置が、前記画像データに、前記受光素子からの出力信号から抽出した前記被写体情報を関連づけて記憶するものであることを特徴とする請求項１記載の撮影システム。
【請求項４】
前記発信装置が、画角別の前記被写体情報を発信するものであり、
前記撮影装置は、被写体の撮影画角が変更自在なものであって、撮影画角を検知する画角検知部を有し、画像データに、前記受信部で受信した被写体情報のうち前記画角検知部で検知した撮影画角に応じた被写体情報を関連づけて記憶するものであることを特徴とする請求項１記載の撮影システム。
【発明の詳細な説明】
【技術分野】
【０００１】
本発明は、被写体の近傍に配備され、該被写体に関する被写体情報を発信する発信装置と、該発信装置から発信された前記被写体情報の受信が可能な受信部を有し、撮影レンズを通して被写体を撮影することにより得られた被写体像を表す画像データに該受信部で受信した前記被写体情報を関連づけてメモリに記憶する撮影装置とを備えた撮影システムに関する。
【背景技術】
【０００２】
デジタルカメラ等の撮影装置により撮影され、メモリや記録メディア等に収容された被写体像の中から所望の被写体像を素早く抽出することが、近年のメモリや記録メディア等の大容量化に伴い困難となってきている。
【０００３】
そこで、この抽出を迅速に行うための提案がなされている（例えば、特許文献１参照）。
【０００４】
上記提案は、被写体像を表す画像データに日付けデータおよびＧＰＳデータを付帯させておき、それら付帯させたデータを手がかりにして所望の被写体像を抽出するというものである。
【０００５】
ところで、例えば遊園地のジェットコースタに乗っている人間をクリアに写真撮影するためにはシャッタスピード等の調節が欠かせないが、この様な、撮影時に特別な対応が必要な被写体のそばにその被写体特有の撮影情報を発信する発信機を配備しておき、その撮影情報の受信が可能な受信機を備えた撮影装置においては、受信した撮影情報に従った写真撮影を可能とする撮影システムが提案されている（特許文献２参照）。
【０００６】
そこで、被写体の適切な撮影に必要な上記撮影情報と共に、その被写体のプロフィールである被写体情報も発信し、受信機を備えた撮影装置において、受信した撮影情報に基づいて撮影された被写体像を表す画像データに、共に受信した被写体情報を付帯させて記憶することが考えられる。
【０００７】
しかしながら、被写体どうしが近接して配置されている動物園等では、対応する発信装置も近接して配備される。このため、受信機を備えた撮影装置が、撮影した被写体像を表す画像データに、撮影した被写体とは異なる被写体の被写体情報を付帯させるおそれがある。
【０００８】
そこで、撮影装置側にさらにＧＰＳ受信機および方位計を備え、また、発信機からは、撮影情報や被写体情報の他にそれら情報が適用できる撮影者の位置および方位に関する情報を発信することにより、撮影装置側で、自身の位置および方位と合致する位置情報および方位情報に付加された撮影情報および被写体情報に基づいて、撮影および被写体像を表す画像データへの被写体情報の付帯を行うことが考えられる。
【特許文献１】特開２００１−２２８５２８号公報
【特許文献２】特開平７−１３２２５号公報
【発明の開示】
【発明が解決しようとする課題】
【０００９】
ところが、上記提案によっても、被写体像と付帯されている被写体情報とが合致していない事態が報告されており、この様な場合には、所望の被写体像の抽出が困難となる。
【００１０】
本発明は、上記事情に鑑み、所望の被写体像の抽出の迅速化が図られた撮影システムを提供することを目的とする。
【課題を解決するための手段】
【００１１】
上記目的を達成するための本発明の撮影システムのうちの第１の撮影システムは、
被写体の近傍に配備され、この被写体に関する被写体情報を発信する発信装置と、この発信装置から発信された上記被写体情報の受信が可能な受信部を有し撮影レンズを通して被写体を撮影することにより得られた被写体像を表す画像データにこの受信部で受信した上記被写体情報を関連づけてメモリに記憶する撮影装置とを備えた撮影システムにおいて、
上記発信装置が、上記被写体情報を所定の方向に向けて発信するものであり、
上記撮影装置は、上記撮影レンズの光軸を中心とする所定の範囲で上記発信装置からの上記被写体情報の受信が可能な受信部を有するものであって、この受信部で受信したこの被写体情報を上記画像データに関連づけて記憶するものであることを特徴とする。
【００１２】
本発明の第１の撮影システムでは、発信装置と撮影装置の双方が指向性を有する発信および受信を行っており、また、発信装置から発信された被写体情報を受信する、撮影装置が有する受信部の受信範囲は、撮影レンズの光軸を中心とするものであることから、撮影装置が撮影した被写体像と、この被写体像を表す画像データと関連づけられる被写体情報の内容とが従来よりも合致しやすくなる。したがって、本発明の第１の撮影システムによれば、所望の被写体像の抽出を迅速に行うことができる。
【００１３】
ここで、第１の撮影システムの上記発信装置が、光源を有し、被写体情報に応じてこの光源を変調駆動することによりこの光源からの発光光に被写体情報発信を担わせるものであり、
第１の撮影システムの上記受信部が、上記発光光を受光する受光素子を有するものであって、
第１の撮影システムの上記撮影装置が、上記画像データに、上記受光素子からの出力信号から抽出した上記被写体情報を関連づけて記憶するものであってもよい。
【００１４】
また、第１の撮影システムの上記発信装置が、画角別の上記被写体情報を発信するものであり、
第１の撮影システムの上記撮影装置は、被写体の撮影画角が変更自在なものであって、撮影画角を検知する画角検知部を有し、画像データに、上記受信部で受信した被写体情報のうち上記画角検知部で検知した撮影画角に応じた被写体情報を関連づけて記憶するものであることが好ましい。
【００１５】
この様に、受信した被写体情報のうち撮影装置側の画角に対応した被写体情報を被写体像を表す画像データに関連づけて記憶することで、所望の被写体像の抽出をより迅速に行うことができる。
【００１６】
上記目的を達成するための本発明の撮影システムのうちの第２の撮影システムは、
被写体近傍に配備され、被写体に関する被写体情報を発信する発信装置と、この発信装置から発信された上記被写体情報の受信が可能な受信部を有し撮影レンズを通して被写体を撮影することにより得られた被写体像を表す画像データにこの受信部で受信したこの被写体情報を関連づけてメモリに記憶する撮影装置とを備えた撮影システムにおいて、
上記撮影装置が、
上記受信部で受信した上記被写体情報を表示する表示部と、
上記表示部に表示されたこの被写体情報の中から記憶しておくべき被写体情報を操作に応じて選択する記憶情報選択部とを備え、
上記撮影装置は、上記画像データに、上記記憶情報選択部で選択した被写体情報を関連づけて記憶するものであることを特徴とする。
【００１７】
本発明の第２の撮影システムでは、受信した被写体情報のうち、撮影した被写体像にふさわしい被写体情報を選択して、該被写体像を表す画像データに関連づけることができる。したがって、本発明の第２の撮影システムによれば、所望の被写体像の抽出を迅速に行うことができる。
【発明の効果】
【００１８】
本発明の撮影システムによれば、所望の被写体像の抽出を迅速に行うことができる。
【発明を実施するための最良の形態】
【００１９】
以下、本発明の実施形態について説明する。
【００２０】
図１は、本発明の第１の撮影システムの一実施形態の概念図である。
【００２１】
本実施形態の撮影システム１は、被写体の近傍に配備され、その被写体のプロフィールなどである被写体情報に応じて光源を変調駆動することによりこの光源からの発光光に被写体情報発信を担わせるとともに、この発光光を所定の方向に向けて出射する発光装置２と、撮影レンズの光軸を中心とする所定の範囲で発信装置からの被写体情報の受信が可能な受信部を有するものであって、受信部で受信した被写体情報を画像データに関連づけて記憶するデジタルカメラ３とで構成されている。
【００２２】
図１には、本実施形態の撮影システム１の概略構成が示されており、図１の左側には、被写体である絵画１００の両脇に配備された、この撮影システム１の構成要素である発光装置２が示され、また、図１の右側には、この撮影システム１の構成要素である、レンズ鏡胴３１を有するデジタルカメラ３が示されている。尚、図１には、デジタルカメラ３の背面に、液晶パネル３５、ＯＫ／キャンセルボタン３０ｃ、および十字キー３０ｄが備えられている様子が示されている。
【００２３】
この撮影システム１の発光装置２は、フード２１を有しており、このため、発光装置２から出射される、被写体情報に応じて変調された発光光は指向性の高められたものとなっている。また、デジタルカメラ３は、詳しくは後述するが、発光光を受光するフォトデテクタ３３（図３参照）をレンズ鏡胴３１の内部に備え、レンズ鏡胴内に入射可能な、撮影レンズの光軸を中心とする限られた範囲からの光を受光するようになっている。
【００２４】
この撮影システム１では、発光装置２を、被写体である絵画１００のプロフィールである被写体情報に応じて発光させることで発光光に被写体情報発信を担わせており、また、この発光光を受光したフォトデテクタ３３から抽出した被写体情報を、この絵画１００を撮影して得られた画像データに関連づけて記憶している。
【００２５】
図２は、発光装置の概略構成図である。
【００２６】
図２には、発光装置２を構成する光源２２と指向性を高めるためのフード２１とが示されており、光源２２は、この光源２２の駆動を制御する駆動回路２２ａに接続されている。
【００２７】
変調器２２ｂは、駆動回路２２ａに接続されており、入力されてきた被写体情報に応じて変調した変調信号を駆動回路２２ａに入力する。
【００２８】
発光装置２では、上述の構成により、被写体情報に応じて変調され、かつ指向性が高められた発光光を出射している。
【００２９】
図３は、図１に示すデジタルカメラの、前方からの外観斜視図である。
【００３０】
図３に示すデジタルカメラ３は、筐体３０の前面中央に前述のレンズ鏡胴３１を備えた比較的コンパクトな、光学ズーム機能付きのデジタルカメラであり、筐体３０の前面左側に発光窓３０ａが設けられている。また、筐体３０の上面には、シャッタボタン３２が備えられている。
【００３１】
レンズ鏡胴３１の内部には、ズームレンズ３１ａが内蔵されており、レンズ鏡胴内の、ズームレンズ３１ａの前方にはフォトデテクタ（ＰＤ）３３が備えられている。尚、このフォトデテクタ３３は、ズームレンズ３１ａによる撮影に影響を与えない位置に備えられており、また、ズームアップおよびズームダウンは、前述の十字キー３０ｄを操作することでできるようになっている。
【００３２】
図４は、デジタルカメラの内部構成図である。
【００３３】
図４には、デジタルカメラ３の構成要素である、前述のズームレンズ３１ａおよびフォーカスレンズ３１ｂで集光した被写体光を結像させるＣＣＤ３６ａと、ＣＣＤ３６ａから出力された撮像信号を受信すると共に、この撮像信号を画像データに処理する画像処理部３６ｂ、画像データを記録する記録部３６ｃと、メモリ３６ｇを有し、ＣＣＤ３６ａの駆動を制御すると共にカメラ全体の制御も行う制御部３６ｄと、前述のフォトデテクタ（ＰＤ）３３で受光した受光光から被写体情報を抽出する復調器３６ｅと、発光装置３４と、発光装置３４の発光を制御する発光回路３６ｆと、スルー画像や記録部３６ｃに記録済みの画像データが表す画像を表示する液晶パネル３５が示されている。尚、図４には、前述したＯＫ／キャンセルボタン３０ｃおよび十字キー３０ｄも示されている。また、このデジタルカメラ３では、写真撮影を行う撮影モードと、既に記録済みの画像データが表す画像を液晶パネル３５に表示する再生モードとの間で十字キー３０ｄを操作することよりモード切替が可能となっている。
【００３４】
ここで、この撮影システム１において発光光により送受信される被写体情報は、その被写体の画角に応じた内容とすることができ、例えば、被写体がサル山である場合には、広角用としてこのサル山のサルの総数など、望遠用として日本ザルの生態などを送受信できるようになっている。これにより、受光した発光光から被写体情報を抽出するデジタルカメラ３では、被写体像を撮影する毎に撮影時の画角を検知し、抽出した被写体情報が画角別の内容になっているものであれば、検知した画角に応じた内容の被写体情報のみを、撮影した被写体像を表す画像データに関連づけて記録部３６ｃに記録する。
【００３５】
図５は、デジタルカメラにおいて撮影モードが選択された際に起動されるルーチンのフローチャートである。
【００３６】
図５に示すステップＳ１では、液晶パネル３５へのスルー画像の表示を指示し、ステップＳ２では、受光した発光光から被写体情報の抽出を行う。ステップＳ３では、写真撮影が行われたか否かを判定する。ステップＳ３において撮影がまだ行なわれていないと判定すると、ステップＳ１に戻り、撮影が行われたと判定すると、ステップＳ４に進む。ステップＳ４では、撮影により得られた被写体画像を図４に示すメモリ３６ｇに一旦記録する。ステップＳ５では、撮影した被写体像を液晶パネル３５に表示し、ステップＳ６では、現在の画角の検知をズームレンズ３１ａおよびフォーカスレンズ３１ｂの、レンズ鏡胴内の位置に基づいて検知する。ステップＳ７では、被写体像と共にこの被写体像を保存するか否かの決定を促すメッセージの表示を指示する。ステップＳ８では、ＯＫ／キャンセルボタン３０ｃの操作がなされた否かを判定し、ステップＳ８において操作されていないと判定すると、ステップＳ７に戻り、操作されていると判定すると、ステップＳ９に進む。ステップＳ９では、ＯＫ／キャンセルボタン３０ｃの操作が‘ＯＫ’であるか否かを判定し、‘ＯＫ’ではない、即ち‘キャンセル’であると判定するとステップＳ１に戻り、操作が‘ＯＫ’であると判定すると、ステップＳ１０に進む。ステップＳ１０では、被写体情報が画角別の内容のものである場合には、検知した画角に対応した内容を被写体情報として画像データに関連づけて記録部（図４参照）３６ｃに記録し、その後、ステップＳ１に戻る。
【００３７】
以上説明したように、この撮影システム１では、発光装置２とデジタルカメラ３の双方で指向性のある発光および受光を行っており、また、デジタルカメラ３の受光範囲はズームレンズ３１ａの光軸を中心とするものであることから、デジタルカメラ３が撮影した被写体像と被写体情報の内容とが従来よりも合致しやすくなる。したがって、本実施形態の撮影システム１によれば、所望の被写体像の抽出を迅速に行うことができる。また、この撮影システム１では、被写体情報の内容が画角別となっている場合には、撮影時の画角に応じた内容の被写体情報のみが、被写体像を表す画像データに関連づけられて記録されることから、より一層、被写体像と被写体情報の内容とをマッチさせることができ、これにより、所望の被写体像の検索をより一層迅速に行うことができる。
【００３８】
ここで、図６は、デジタルカメラの別態様を示す図である。
【００３９】
図１に示すデジタルカメラ３では、フォトデテクタ３３がレンズ鏡胴３１の内部に正面を向いて配備されているのに対し、図６に示すデジタルカメラ３ａでは、フォトデテクタ３３が、光軸に垂直な方向を向いた状態でレンズ鏡胴３１の側面に配備されている。このデジタルカメラ３ａには、また、レンズ鏡胴内に可倒式のミラー３７と集光レンズ３３ｃとが備えられており、シャッタボタン３２が押下される前は、図６に実線で示すように光軸に対して４５°に傾いて、レンズ鏡胴内に入射してきた発光光を集光レンズ３３ｃを通してレンズ鏡胴３１の側面に配備されたフォトデテクタ３３に向けて反射する。その後、シャッタボタン３２が押下されると、このミラー３７は、図６に点線で示すようにレンズ鏡胴３１の側面に退避し、撮影に支障がでないようになっている。撮影システム１のデジタルカメラ３が、図６に示す様なものであっても、所望の被写体像の抽出を迅速に行うことができる。
【００４０】
尚、以上に説明した実施形態では、被写体情報に応じて変調された発光光を指向性を持たせて出射する発光装置および所定の範囲内からの発光光を受光する撮影装置を例に挙げて説明したが、送信側と受信側の双方が、被写体情報の送受信について指向性を持った送受信を行うのであれば、光ではなく電波を用いるものであってもよい。
【００４１】
次に、本発明の第２の撮影システムについて説明する。
【００４２】
図７は、本発明の第２の撮影システムの実施形態の概念図である。
【００４３】
図７には、第１の撮影システムの実施形態である撮影システム１に対応する、本実施形態の撮影システム１１が示されており、ここには、被写体である、壁に掛けられた絵画毎に発信装置４が備えられているようすが示されている。これら複数の発信装置４からは、アンテナ４１を通じて壁の前方側に被写体情報が発信されている。また、図７には、撮影レンズを被写体に向けたデジタルカメラ５も示されている。
【００４４】
図８は、本実施形態の撮影システムの発信装置の概略構成図である。
【００４５】
図８には、発信装置４を構成するアンテナ４１と発信回路４２とが示されており、被写体情報がアンテナを通じて電波発信されている。
【００４６】
図９は、デジタルカメラの、正面側からの外観斜視図である。
図９に示すデジタルカメラ５は、図８に示す発信装置４から発信されてきた被写体情報を受信する受信機５３が筐体３０の上面に配備されている。尚、図９に示す部材のうち、図３に示されている部材と同じ種類の部材には、図３において付されている符号と同じ符号を付している。
【００４７】
図１０は、デジタルカメラの内部構成図である。
【００４８】
図１０には、図３に示すデジタルカメラ３の図４に対応した図が示されているが、図４との相違点は、図４に示されるフォトデテクタ３３および復調器３６ｅが、受信機５３および受信回路５６ｅに変更された点であるので、図１０についての説明は省略する。
【００４９】
図１１は、デジタルカメラに備えられている液晶パネルの表示画像を示す図である。
【００５０】
図１１には、図７に示す絵のうちの左側の山の絵が撮影され、これを記録部３６ｃに記録することに同意した後の、液晶パネル３５の表示画像が示されており、液晶パネル３５には、山の絵に重畳して、メッセージ‘受信情報付加’と共に、‘無条件’と‘条件付’の２通りの選択肢が表示されている。選択は、デジタルカメラ５の背面の右側に備えられた、‘ＯＫ／キャンセル’ボタン３０ｃおよび十字キー３０ｄで行えるようになっている。尚、図１１には、デフォルトで‘無条件’が選択されている様子が示されている。
【００５１】
図１２は、図１１に示すアイコン‘条件付’を十字キー等で選択した場合の液晶パネルの表示画面を示す図である。
【００５２】
図１２には、今回の写真撮影の際に、このデジタルカメラ５に備えられている受信機５３において受信した全ての被写体情報が示されており、ここには、図７に示す被写体である、山の絵と船の絵それぞれに配備されている発信装置４から発信された被写体情報をデジタルカメラ５が受信した様子が示されている。
【００５３】
また、図１２には、図７に示す双方の絵について受信した被写体情報である、‘秋の立山連峰’と‘洋上の船’が表示されていると共に、撮影した被写体像を表す画像データにこれらを関連づけて記録するか否かを選択するための‘Ｙ’、‘Ｎ’が表示されている。尚、図１２には、デフォルトとして‘Ｎ’が選択されている様子が示されているが、撮影した被写体像が‘秋の立山連峰’の方であることから、‘秋の立山連峰’の方については‘Ｙ’を選択し、‘洋上の船’の方については‘Ｎ’を選択することとなる
図１３は、このデジタルカメラにおいて撮影モードが選択されたことで起動されるルーチンのフローチャートである。
【００５４】
図１３に示すステップＳ１１では、液晶パネル３５でのスルー画像の表示を指示し、ステップＳ１２では、被写体情報の受信を行う。ステップＳ１３では、写真撮影が行われたか否かを判定し、ステップＳ１３において撮影が未だ行われていないと判定すると、ステップＳ１１に戻り、ステップＳ１３において撮影が行われていると判定すると、ステップＳ１４に進み、被写体像を表す画像データを一旦メモリ３６ｇ（図１０参照）に記録する。ステップＳ１５では、被写体像を液晶パネル３５に表示する。ステップＳ１６では、この表示画像を記録部３６ｇに記録するか否かのメッセージの表示を指示する。ステップＳ１７では、‘ＯＫ／キャンセル’ボタン３０ｃが操作されたか否かを判定し、操作されていないと判定するとステップＳ１６に戻り、操作されたと判定するとステップＳ１８に進む。ステップＳ１８では、操作が‘ＯＫ’であったか否か判定し、‘ＯＫ’ではないと判定するとステップＳ１１に戻り、‘ＯＫ’であると判定するとステップＳ１９に進み、図１１に示す画像の表示を指示する。ステップＳ２０では、図１１に示す選択肢のうち‘無条件’が選択されたか否かを判定し、‘無条件’が選択されたと判定すると、ステップＳ２１に進み、受信した被写体情報の全てを画像データに関連づけて記憶し、その後ステップＳ１１に戻り、‘無条件’が選択されていない、即ち‘条件付’が選択されたと判定すると、選択された被写体情報を画像データに関連づけて記憶した後、ステップＳ１１に戻る。
【００５５】
以上に説明した撮影システム１１では、受信した被写体情報のうち、撮影した被写体像にふさわしい被写体情報を選択して、この被写体像を表す画像データに関連づけることができる。したがって、撮影システム１１によれば、所望の被写体像の抽出を迅速に行うことができる。
【図面の簡単な説明】
【００５６】
【図１】本発明の第１の撮影システムの一実施形態の概念図である。
【図２】発光装置の概略構成図である。
【図３】図１に示すデジタルカメラの、前方からの外観斜視図である。
【図４】デジタルカメラの内部構成図である。
【図５】デジタルカメラにおいて撮影モードが選択された際に起動されるルーチンのフローチャートである。
【図６】デジタルカメラの別態様を示す図である。
【図７】本発明の第２の撮影システムの実施形態の概念図である。
【図８】本実施形態の撮影システムの発信装置の概略構成図である。
【図９】デジタルカメラの、正面側からの外観斜視図である。
【図１０】デジタルカメラの内部構成図である。
【図１１】デジタルカメラに備えられている液晶パネルの表示画像を示す図である。
【図１２】図１１に示すアイコン‘条件付’を十字キー等で選択した場合の液晶パネルの表示画面を示す図である。
【図１３】このデジタルカメラにおいて撮影モードが選択されたことで起動されるルーチンのフローチャートである。
【符号の説明】
【００５７】
１、１１  撮影システム
２  発光装置
２１  フード
２２  光源
３、３ａ  デジタルカメラ
３１  レンズ鏡胴
３１ａ  ズームレンズ
３１ｂ  フォーカスレンズ
３３  フォトデテクタ
３５  液晶パネル
３７  ミラー
４  発信装置
４１  アンテナ
５  デジタルカメラ
５３  受信機
【図１】
2007027989.tif 000003
【図２】
2007027989.tif 000004
【図３】
2007027989.tif 000005
【図４】
2007027989.tif 000006
【図５】
2007027989.tif 000007
【図６】
2007027989.tif 000008
【図７】
2007027989.tif 000009
【図８】
2007027989.tif 000010
【図９】
2007027989.tif 000011
【図１０】
2007027989.tif 000012
【図１１】
2007027989.tif 000013
【図１２】
2007027989.tif 000014
【図１３】
2007027989.tif 000015